(57)【特許請求の範囲】
【請求項１】
タグハウジングと、盗難防止ケーブルと、回路基板とを含む盗難防止ケーブル交換可能な電子タグであって、
盗難防止ケーブルの両端に、クランプに適応する第１導電性コネクタと第２導電性コネクタがそれぞれ配置され、前記タグハウジング内に、第１導電性フレキシブルアクセス部と第２導電性フレキシブルアクセス部が配置され、第１導電性フレキシブルアクセス部と第２導電性フレキシブルアクセス部は、それぞれ、第１導電性コネクタと第２導電性コネクタに対応し、盗難防止ケーブルを回路基板上の回路に電気的に接続させてループを形成し、第１導電性コネクタと第２導電性コネクタは、導電性フレキシブルアクセス部によって支持された導電性接触部と、クランプ状態にあるときにタグハウジングから引き出されることを防止するクランプフィット部とを備え、
前記電子タグには、第１導電性コネクタの第１クランプ部材が配置され、前記第１クランプ部材と第１導電性フレキシブルアクセス部とは、第１導電性コネクタが第１導電性フレキシブルアクセス部と密着し、第１導電性コネクタを係止するようにフィットし、前記第１クランプ部材は可動クランプ部材であり、接続位置と交換位置との間で移動可能であり、普通の状態下でバネによって接続位置に保持されており、
前記電子タグには、第１クランプ部材の移動を操作するための構造が配置され、
前記電子タグはまた、第２導電性コネクタの第２クランプ部材が配置され、前記第２クランプ部材は、可動クランプ部材としてロック位置とアンロック位置の間で変位可能であり、ロック位置では、前記第２クランプ部材と第２導電性フレキシブルアクセス部とは、第２導電性コネクタが第２導電性フレキシブルアクセス部と密着し、第２導電性コネクタを係止するようにフィットし、アンロック位置では、前記第２導電性コネクタが前記第２クランプ部材のクランプサイトから外れ、
前記電子タグには、第２クランプ部材をロック位置にロックすることができるロック構造がさらに設けられ、前記電子タグには、第２クランプ部材をロック位置に移動させるための操作構造が設けられ、前記第２クランプ部材はロック位置からアンロック位置への変位はバネ駆動であり、
前記第１クランプ部材と前記第２クランプ部材は、並置される滑り部材であり、前記第１クランプ部材と前記第２クランプ部材の間にバネが配置されて、第１クランプ部材が普通の状態下でバネによって接続位置に保持され、かつ、ロック位置からアンロック位置への前記第２クランプ部材の変位を促す、
ことを特徴とする盗難防止ケーブル交換可能な電子タグ。
【請求項２】
前記第１導電性コネクタと第２導電性コネクタは円筒体とヘッド部を含み、円筒体の前部は前記導電性接触部を有し、前記円筒体の後部は、クランプ部材とフィットする肩部とネック部を有し、前記第１クランプ部材と第２クランプ部材には、挿入用の大穴とクランプするためのクランプ穴が並置されており、クランプ穴の上部は小穴部でクランプサイトが形成され、前記大穴とクランプ穴とは連通して、ネック部は、小穴部とフィトし、側面から配置されることが可能であり、
前記電子タグには、第１導電性コネクタが横方向に変位して前記第１クランプ部材のクランプサイトから外れることを防止する位置決め構造と、第２導電性コネクタが横方向に変位して前記第２クランプ部材のクランプサイトから外れることを防止する位置決め構造と、が設けられ、
前記第１クランプ部材のクランプ穴と第２クランプ部材のクランプ穴の位置はそれぞれ前記２つの位置決め構造の位置とマッチしており、
前記ケーブルの両端には位置決め構造とマッチする位置決めシースが設けられている、
ことを特徴とする請求項１に記載の盗難防止ケーブル交換可能な電子タグ。
【請求項３】
前記第１導電性フレキシブルアクセス部および第２導電性フレキシブルアクセス部は、円錐バネである、
ことを特徴とする請求項１に記載の盗難防止ケーブル交換可能な電子タグ。
【請求項４】
前記タグハウジングの上端部には、盗難防止用ケーブルが挿通される第１挿入孔と第２導電性コネクタが挿通される第２挿入孔を備え、第１挿入孔と第２挿入孔は、それぞれ、前記位置決め構造を含み、第１挿入孔と第２挿入孔の下に、前記第１クランプ部材と第２クランプ部材が配置され、第１クランプ部材と第２クランプ部材の下に、第１導電性フレキシブルアクセス部およびその載置台と、第２導電性フレキシブルアクセス部およびその載置台とが配置され、前記載置台の下方に前記回路基板が配置される、
ことを特徴とする請求項２に記載の盗難防止ケーブル交換可能な電子タグ。
【請求項５】
前記タグハウジングは、第１ハウジングと第２ハウジングからなり、前記位置決め構造は、第１ハウジング上に配置された部分と第２ハウジング上に配置された部分とを含み、位置決め穴に組み合わせる、
ことを特徴とする請求項２に記載の盗難防止ケーブル交換可能な電子タグ。
【請求項６】
前記第１クランプ部材の変位を操作するための構造は、タグハウジング上の細孔であり、前記第１クランプ部材はタグハウジングの一方の側壁に近い、
ことを特徴とする請求項１に記載の盗難防止ケーブル交換可能な電子タグ。
【請求項７】
前記盗難防止用ケーブルは、単芯スチールケーブルである、
ことを特徴とする請求項１に記載の盗難防止ケーブル交換可能な電子タグ。
【請求項８】
前記電子タグには、さらに、保護状態インジケータのスイッチを備え、前記スイッチは、第２クランプ部材がロック位置に達する経路にあり、また、ロック位置に達するとき第２ブロックによって押される、
ことを特徴とする請求項１に記載の盗難防止ケーブル交換可能な電子タグ。
【発明の詳細な説明】
【技術分野】
【０００１】
本発明は、商品盗難防止の分野に関し、特に盗難防止ケーブル交換可能な電子タグに関する。
【背景技術】
【０００２】
現在、電子物品監視（ＥＡＳ）業界では、商品盗難防止のため、次のような多数のロープ型盗難防止タグが開発されている。
【０００３】
１、１本のワイヤーロープがタグハウジングから伸ばしているロープ型盗難防止タグであって、ワイヤーロープは外装ケースの外部にカラーを形成し、カラーのサイズは調整不能タイプと調整可能タイプに分けられる。
【０００４】
２、２本のワイヤーロープがタグハウジングから伸ばしているタグであって、ロープのカラーは引込装置によって調整することができるが、ハウジングの内部に、ラチェット、ラチェットとフィットするラチェット片、ラチェットの回転を駆動する回転カバー片などのような、たくさんの調整用部品があり、構造が複雑で高価である。
【０００５】
上記の２種類のロープ型盗難防止タグは、ロープを交換することができず、ロープ内部の導線が断線した場合、タグ全体が廃棄されて無駄が生じ、使用コストが高い。
【０００６】
ＣＮ２０４７９１７８９Ｕには、盗難防止ケーブル交換可能な電子タグが開示されている。その盗難防止タグにおいて、導電性芯線は二重芯にする必要があり、製造が難しく、加工が煩雑である。また、オーディオヘッドと電子部品の接続モードにより、盗難防止ケーブルは、耐荷重能力が悪くなり、張力がかけられたときに切断して誤警報を引き起こすことが容易である。
【発明の概要】
【発明が解決しようとする課題】
【０００７】
本発明が解決しようとする技術的課題は、強い耐荷重能力と接続信頼性を有する、盗難防止ケーブル交換可能な電子タグを提供することである。このため、本発明は以下の技術的解決策を採用する。
【課題を解決するための手段】
【０００８】
本発明に係る盗難防止ケーブル交換可能な電子タグは、タグハウジングと、盗難防止ケーブルと、回路基板とを含み、盗難防止ケーブルの両端に、クランプに適応する第１導電性コネクタと第２導電性コネクタがそれぞれ配置され、前記タグハウジング内に、第１導電性フレキシブルアクセス部と第２導電性フレキシブルアクセス部が配置され、第１導電性フレキシブルアクセス部と第２導電性フレキシブルアクセス部は、それぞれ、第１導電性コネクタと第２導電性コネクタに対応し、盗難防止ケーブルを回路基板上の回路に電気的に接続させてループを形成し、第１導電性コネクタと第２導電性コネクタは、導電性フレキシブルアクセス部によって支持された導電性接触部と、クランプ状態にあるときにタグハウジングから引き出されることを防止するクランプフィット部とを備えることを特徴とする。
【０００９】
前記電子タグには、第１導電性コネクタの第１クランプ部材が配置され、前記第１クランプ部材と第１導電性フレキシブルアクセス部とは、第１導電性コネクタが第１導電性フレキシブルアクセス部と密着し、第１導電性コネクタを係止するようにフィットし、前記第１クランプ部材は可動クランプ部材であり、接続位置と交換位置との間で移動可能であり、普通の状態下でバネによって接続位置に保持されている。前記電子タグには、第１クランプ部材の移動を操作するための構造が配置される。
【００１０】
前記電子タグはまた、第２導電性コネクタの第２クランプ部材が配置され、前記第２クランプ部材は、可動クランプ部材としてロック位置とアンロック位置の間で変位可能であり、ロック位置では、前記第２クランプ部材と第２導電性フレキシブルアクセス部とは、第２導電性コネクタが第２導電性フレキシブルアクセス部と密着し、第２導電性コネクタを係止するようにフィットし、アンロック位置では、前記第２導電性コネクタが前記第２クランプ部材のクランプサイトから外れる。
【００１１】
前記電子タグには、第２クランプ部材をロック位置にロックすることができるロック構造がさらに設けられ、前記電子タグには、第２クランプ部材をロック位置に移動させるための操作構造が設けられ、前記第２クランプ部材はロック位置からアンロック位置への変位はバネ駆動である。
【００１２】
上記の技術的解決策に基づいて、本発明はまた、以下のさらなる技術的解決策を採用するか、またはこれらのさらなる技術的解決策を組み合わせて使用してもよい。
【００１３】
前記第１導電性コネクタと第２導電性コネクタは円筒体とヘッド部を含み、円筒体の前部は前記導電性接触部を有し、前記円筒体の後部は、クランプ部材とフィットする肩部とネック部を有し、前記第１クランプ部材と第２クランプ部材には、挿入用の大穴とクランプするためのクランプ穴が並置されており、クランプ穴の上部は小穴部でクランプサイトが形成され、前記大穴とクランプ穴とは連通して、ネック部は、小穴部とフィトし、側面から配置されることが可能である。前記電子タグには、第２導電性コネクタが横方向に変位して前記第２クランプ部材のクランプサイトから外れることを防止する位置決め構造と、第１導電性コネクタが横方向に変位して前記第１クランプ部材のクランプサイトから外れることを防止する位置決め構造が設けられる。
【００１４】
前記第１クランプ部材のクランプ穴と第２クランプ部材のクランプ穴の位置はそれぞれ前記２つの位置決め構造の位置とマッチしている。前記ケーブルの両端には位置決め構造とマッチする位置決めシースが設けられている。
【００１５】
前記第１導電性フレキシブルアクセス部および第２導電性フレキシブルアクセス部は、円錐バネである。
【００１６】
前記タグハウジングの上端部には、第２導電性コネクタが挿通される第２挿入孔と盗難防止用ケーブルが挿通される第１挿入孔とを備え、第１挿入孔と第２挿入孔は、それぞれ、前記位置決め構造を含み、第１挿入孔と第２挿入孔の下に、前記第１クランプ部材と第２クランプ部材が配置され、第１クランプ部材と第２クランプ部材の下に、第１導電性フレキシブルアクセス部およびその載置台と、第２導電性フレキシブルアクセス部およびその載置台とが配置され、前記載置台の下方に前記回路基板が配置される。
【００１７】
前記タグハウジングは、第１ハウジングと第２ハウジングからなり、前記位置決め構造は、第１ハウジング上に配置された部分と第２ハウジング上に配置された部分とを含み、位置決め穴に組み合わせる。
【００１８】
前記第１クランプ部材の変位を操作するための構造は、タグハウジング上の細孔であり、前記第１クランプ部材はタグハウジングの一方の側壁に近い。
【００１９】
前記第１クランプ部材と第２クランプ部材は、並置される滑り部材であり、それらの間にバネが配置されて、第１クランプ部材が普通の状態下でバネによって接続位置に保持され、かつ、ロック位置からアンロック位置への前記第２クランプ部材の変位を促す。
【００２０】
前記盗難防止用ケーブルは、単芯スチールケーブルである。
【００２１】
前記電子タグには、さらに、保護状態インジケータのスイッチを備え、前記スイッチは、第２クランプ部材がロック位置に達する経路にあり、また、ロック位置に達するとき第２ブロックによって押される。
【発明の効果】
【００２２】
本発明の技術案によれば、本発明の盗難防止ケーブルは単芯でもよく、構造がより簡単で交換コストが低い。本発明では、盗難防止の接続状態になるとリジッドクランプによって位置制限され、材料の強度が耐荷重の強度であり、回路基板と密着して、安定した作業、便利な接続操作や取り替え操作を確保する。
【図面の簡単な説明】
【００２３】
【図１】本発明に係る実施例の分解図である。
【図２】本発明に係る実施例の正面図である。
【図３】本発明に係る実施例の側面図である。
【図４】第２クランプ部材に第２導電性コネクタが挿入されていないとき、図２のＡ−Ａ線に沿った断面図である。
【図５】第２クランプ部材に第２導電性コネクタが挿入されていないとき、図３のＢ−Ｂ線に沿った断面図である。
【図６】第２クランプ部材に第２導電性コネクタが挿入されたとき、図２のＡ−Ａ線に沿った断面図である。
【図７】第２クランプ部材に第２導電性コネクタが挿入されたとき、図３のＢ−Ｂ線に沿った断面図である。
【図８】第２クランプ部材をクランプサイトに押したとき、図２のＡ−Ａ線に沿った断面図である。
【図９】第２クランプ部材をクランプサイトに押したとき、図３のＢ−Ｂ線に沿った断面図である。
【発明を実施するための形態】
【００２４】
図１−９を参照して、本発明に係る盗難防止ケーブル交換可能な電子タグは、タグハウジングと、盗難防止ケーブル１と、回路基板２とを含む。回路基板２上に盗難防止警報制御回路を配置することができる。盗難防止警報制御回路コントローラは、盗難防止ケーブルが切断されていると判断すると、可聴警報回路または照明警報回路を制御して警報を発する。タグハウジング内にＥＡＳ盗難防止システムの周波数素子３を配置することができる。
【００２５】
盗難防止ケーブル１の両端に、第１導電性コネクタ４１と第２導電性コネクタ４２はそれぞれ配置され、また、タグハウジング内に、第１導電性フレキシブルアクセス部２１と第２導電性フレキシブルアクセス部２２は配置される。第１導電性フレキシブルアクセス部２１と第２導電性フレキシブルアクセス部２２は、それぞれ、第１導電性コネクタ４１と第２導電性コネクタ４２に対応し、盗難防止ケーブル１を回路基板２上の回路に電気的に接続させてループを形成する。また、第１導電性コネクタ４１と第２導電性コネクタ４２は、導電性フレキシブルアクセス部２１，２２によって支持された導電性接触部４０１と、クランプ状態にあるときにタグハウジングから引き出されることを防止するクランプフィット部４０２とを備えている。
【００２６】
前記タグハウジングは、第１ハウジング５１と第２ハウジング５２とを含み、ねじ結合または超音波溶着によって一体化されている。
【００２７】
前記タグハウジング内に、第１導電性コネクタ４１に対応する第１クランプ部材６１が配置される。前記第１クランプ部材６１と第１導電性フレキシブルアクセス部２１とは、第１導電性コネクタ４１が下部で第１導電性フレキシブルアクセス部２１と密着し、図５に示すように、上部で第１クランプ部材６１のクランプサイト６１１によって係止され、構造を壊さない限り引き抜くことができないようにフィットする。前記第１導電性コネクタ４１はタグハウジング内に固定されており、移動することができない。前記第１クランプ部材６１は可動クランプ部材であり、接続位置と交換位置との間で移動可能であり、普通の状態下でバネ６３によって接続位置に保持されている（すなわち、図４、図６、図８に示す状態）。図７に示すように、前記電子タグは、第１クランプ部材の移動を操作するための構造53を備えている。
【００２８】
前記電子タグはまた、第２導電性コネクタ４２に対応する第２クランプ部材６２が配置される。前記第２クランプ部材６２は、可動クランプ部材としてロック位置とアンロック位置の間で変位可能である。ロック位置では、前記第２クランプ部材６２と第２導電性フレキシブルアクセス部２２とは、第２導電性コネクタ４２が下部で第２導電性フレキシブルアクセス部２２と密着し、上部で第２クランプ部材６２のクランプサイト６２１によって係止され、構造を壊さない限り引き抜くことができないようにフィットする。アンロック位置では、前記第２導電性コネクタ４２が前記第２クランプ部材６２のクランプサイト６２１から外れる。
【００２９】
前記電子タグには、第２クランプ部材６２をロック位置にロックすることができるロック構造がさらに設けられる。前記電子タグには、第２クランプ部材６２をロック位置に移動させるための操作構造が設けられる。前記第２クランプ部材はロック位置からアンロック位置への変位はバネ駆動である。前記操作構造は、第２クランプ部材６２の押圧ハンドル６２０であってもよい。
【００３０】
構造を簡単にするために、前記第１クランプ部材６１と第２クランプ部材６２とを並置して、第１クランプ部材６１に作用するバネと第２クランプ部材６２に作用するバネとがバネ６３を共有できるようにする。それによって、第１クランプ部材６１は、普通の状態下でバネ６３によって接続位置に保持され、かつ、ロック位置からアンロック位置への前記第２クランプ部材６２の変位を促す。前記バネ６３は第１クランプ部材６１と第２クランプ部材６２の間に位置する。第１クランプ部材６１には、前記バネ６３の位置決めポスト６１２が配置されており、記号６２２は第２クランプ部材６２のバネ位置決めポストを表す。
【００３１】
前記第１クランプ部材の変位を操作するための構造５３は、タグハウジング上の細孔５３であり、針棒またはネイルロッドのような細いロッドに適合する。前記第１クランプ部材６１はタグハウジングの一方の側壁に近い。盗難防止用ケーブルの交換が必要な場合は、細棒を細孔５３から挿入して第１クランプ部材６１を接続位置から交換位置まで押し出す。このとき第１導電性コネクタ４１をクランプサイト６１１から離脱させる。
【００３２】
前記第１導電性コネクタ４１と第２導電性コネクタ４２は円筒体４００とヘッド部４０３を含み、同じ構造を採用することができる。円筒体の前部は前記導電性接触部４０１を有する。前記円筒体４００の後部は、クランプフィット部４０２として、クランプ部材とフィットする肩部を有し、また、ネック部４０４をさらに有する。前記第１クランプ部材６１と第２クランプ部材６２には、導電性プラグを挿入するための大穴６０１とクランプするためのクランプ穴６０２が並置されている。クランプ穴の上部は小穴部であるため、端面に前記クランプサイト６１１，６２１が形成されている。前記大穴６０１とクランプ穴６０２とは連通して、ネック部４０４は、小穴部とフィトするため、側面から配置されることが可能である。
【００３３】
前記電子タグは、第２導電性コネクタが横方向に変位して前記第２クランプ部材のクランプサイトから外れることを防止する位置決め構造と、第１導電性コネクタが横方向に変位して前記第１クランプ部材のクランプサイトから外れることを防止する位置決め構造とを備えている。前記第１クランプ部材のクランプ穴と第２クランプ部材のクランプ穴の位置はそれぞれ２つの位置決め構造の位置とマッチしている。前記ケーブル１の両端には位置決め構造とマッチする位置決めシース７が設けられている。
【００３４】
前記第１導電性フレキシブルアクセス部２１および第２導電性フレキシブルアクセス部２２は、円錐バネを採用することができる。
【００３５】
２つの位置決め構造は両方とも、第１ハウジング５１上に配置された部分８２と第２ハウジング５２上に配置された部分８１とを含み、後述の第１位置決めレセプタクルと第２位置決めレセプタクルに組み合わせて、タグハウジングが開く時に開いて、対応する位置決め機能を解除することができる。
【００３６】
前記タグハウジングの上端部には、盗難防止用ケーブルが挿通される第１挿入孔と第２導電性コネクタ４２が挿通される第２挿入孔とを備えている。第１挿入孔と第２挿入孔は、前記位置決め構造を含む。第１挿入孔と第２挿入孔の下に、前記第１クランプ部材６１と第２クランプ部材６２は配置される。第１クランプ部材６１と第２クランプ部材６２の下に、第１導電性フレキシブルアクセス部２１およびその載置台２１０と、第２導電性フレキシブルアクセス部２２およびその載置台２２０とが配置されている。前記載置台２１０，２２０の下方に前記回路基板２が配置されている。
【００３７】
前記ロック構造は、マグネットの吸引によりロック解除可能な一般的なロックを採用することができる。前記ロックのロックピン９１はマグネットの吸引によって移動してロック解除すること、また、バネ９２によりトッピングすることができる。第２クランプ部材６２はロック位置に配置させ、第２クランプ部材のロック孔６２３がロックピン９１と合わせると、バネ９２がロックピン９１をロック孔６２３内に押し込む。
【００３８】
本発明に用いられる盗難防止用ケーブルは、単芯のものであり、単芯スチールケーブルである。
【００３９】
本発明はまた、保護状態インジケータのスイッチ２３を備えている。前記スイッチ２３は、第２クランプ部材６２がロック位置に達する経路にあり、ロック位置に達するとき第２ブロックによって押される。
【００４０】
上述は本発明の特定な実施例に過ぎず、本発明の構造的特徴はこれに限定されるものではなく、本発明の範囲内で当業者によって行われる変更または修飾も本発明の保護範囲に含まれる。
【図１】
0006767586.tif 000002
【図２】
0006767586.tif 000003
【図３】
0006767586.tif 000004
【図４】
0006767586.tif 000005
【図５】
0006767586.tif 000006
【図６】
0006767586.tif 000007
【図７】
0006767586.tif 000008
【図８】
0006767586.tif 000009
【図９】
0006767586.tif 000010